(57)【要約】【課題】主に、天井パネルの本固定を製造工場で行い得るようにすることで、建築現場での手間を削減し得るようにする。【解決手段】位置決め治具１１を、壁パネル４，５の内面に沿って当接配置し、位置決め治具１１の上端部に位置決め片１２を載置すると共に、位置決め片１２を壁パネル４，５に固定する位置決め片取付け工程と、  位置決め片１２の上部に上側から天井パネル６を載置して仮保持させると共に位置決めする天井パネル位置決め工程と、  天井パネル６を壁パネル４，５の上部に固定する天井パネル固定工程と、  位置決め片１２を壁パネル４，５から撤去する位置決め片撤去工程と、を行うようにしている。【選択図】図８
2018031181.tif 000002
【特許請求の範囲】
【請求項１】
建物ユニットを構成する床パネルの辺部から立設された壁パネルの上部に天井パネルを取付ける建物ユニットの天井パネル取付け方法において、
前記天井パネルの取付け位置に応じた長さを有する位置決め治具を、前記壁パネルの内面に沿い、前記床パネルの位置から上方へ向けて当接配置し、前記位置決め治具の上端部に前記天井パネルの取付け位置の基準となる位置決め片を載置すると共に、該位置決め片を前記壁パネルに固定する位置決め片取付け工程と、
前記位置決め片の上部に上側から前記天井パネルを載置して、該天井パネルを前記壁パネルに対する所定の取付け位置に仮保持させると共に位置決めする天井パネル位置決め工程と、
前記位置決め片の上部に仮保持および位置決めされた前記天井パネルを、前記壁パネルの上部に固定する天井パネル固定工程と、
前記天井パネルの前記壁パネルに対する固定後に、前記位置決め片を前記壁パネルから撤去する位置決め片撤去工程と、を行うことを特徴とする建物ユニットの天井パネル取付け方法。
【請求項２】
請求項１に記載の建物ユニットの天井パネル取付け方法において、
前記位置決め片を、前記壁パネルに対し、着脱可能な固定具を用いて固定することを特徴とする建物ユニットの天井パネル取付け方法。
【請求項３】
請求項１または請求項２に記載の建物ユニットの天井パネル取付け方法において、
前記天井パネルを、前記壁パネルに対し、着脱可能な固定具を用いて固定することを特徴とする建物ユニットの天井パネル取付け方法。
【請求項４】
請求項１ないし請求項３のいずれか１項に記載の建物ユニットの天井パネル取付け方法において、
前記建物ユニットに、前記壁パネルを設けない開放面が存在する場合に、
前記天井パネルを、前記建物ユニットの前記開放面側の端部に達する大きさにすると共に、
前記天井パネルの縁部を、前記建物ユニットの前記開放面側の端部の位置に合わせて取付けることを特徴とする建物ユニットの天井パネル取付け方法。
【請求項５】
請求項１ないし請求項４のいずれか１項に記載の建物ユニットの天井パネル取付け方法において、
前記天井パネルと前記壁パネルとの間に隙間が生じた場合に、該隙間にスペーサを介在させることを特徴とする建物ユニットの天井パネル取付け方法。
【発明の詳細な説明】
【技術分野】
【０００１】
この発明は、建物ユニットの天井パネル取付け方法に関するものである。
【背景技術】
【０００２】
製造工場で予め製造された建物ユニットを、建築現場へ搬送して建築現場で組み合わせることによって、短期間のうちに建物を構築できるようにするユニット工法が行われている。
【０００３】
ユニット工法で使用される建物ユニットには、木質系のユニットなどが存在しており、木質系のユニットは、床パネルの辺部から立設された壁パネルの上部に天井パネルを取付けた直方体状のものなどとされている（例えば、特許文献１参照）。
【０００４】
特許文献１では、製造工場において、建物ユニットを、方杖などと呼ばれるほぼ直角三角形状をした仮止め用金具を用いて、壁パネルの上部に天井パネルが仮固定されている状態に製造していた。
【０００５】
そして、建物ユニットを建築現場へ搬入した後で、例えば、仮止め用金具に備えられている高さ調整機能を用いて天井パネルの高さ調整を行い、その後、天井パネルを壁パネルに本固定し、仮止め用金具を取り外すようにしていた。このように、天井パネルを建築現場にて本固定することで、例えば、建物ユニットを隣接配置した後で天井パネル間の高さ調整を行うことが可能となる。
【先行技術文献】
【特許文献】
【０００６】
【特許文献１】特許第５７１５７９２号公報
【発明の概要】
【発明が解決しようとする課題】
【０００７】
しかし、建物ユニットに対して天井パネルを、製造工場で仮固定しておき、建築現場へ搬入した後で本固定するようにした場合、建築現場で、天井パネルの高さ調整を行ったり、天井パネルを本固定したり、方杖などの仮止め用金具を取り外したりしなければならず、建築現場での手間が多くなるという問題があった。
【０００８】
そこで、本発明は、上記した問題点を解決することを、主な目的としている。
【課題を解決するための手段】
【０００９】
上記課題を解決するために、本発明は、
建物ユニットを構成する床パネルの辺部から立設された壁パネルの上部に天井パネルを取付ける建物ユニットの天井パネル取付け方法において、
前記天井パネルの取付け位置に応じた長さを有する位置決め治具を、前記壁パネルの内面に沿い、前記床パネルの位置から上方へ向けて当接配置し、前記位置決め治具の上端部に前記天井パネルの取付け位置の基準となる位置決め片を載置すると共に、該位置決め片を前記壁パネルに固定する位置決め片取付け工程と、
前記位置決め片の上部に上側から前記天井パネルを載置して、該天井パネルを前記壁パネルに対する所定の取付け位置に仮保持させると共に位置決めする天井パネル位置決め工程と、
前記位置決め片の上部に仮保持および位置決めされた前記天井パネルを、前記壁パネルの上部に固定する天井パネル固定工程と、
前記天井パネルの前記壁パネルに対する固定後に、前記位置決め片を前記壁パネルから撤去する位置決め片撤去工程と、を行うことを特徴とする。
【発明の効果】
【００１０】
本発明によれば、天井パネルの本固定を製造工場にて行い得るようにすることで、建築現場での手間を削減することが可能となる。
【図面の簡単な説明】
【００１１】
【図１】本実施の形態にかかる建物ユニットの全体斜視図である。
【図２】天井パネルを取付ける前の建物ユニットに対して位置決め治具を配置した状態を示す斜視図である。
【図３】位置決め治具の上端部に位置決め片を載置して固定する状態を示す、図２と同様の建物ユニットの斜視図である。
【図４】位置決め治具を壁パネルから撤去した状態を示す、図３と同様の建物ユニットの斜視図である。
【図５】図４の建物ユニットの側面図である。
【図６】位置決め片を（桁側の）壁パネルに固定した状態を示す、部分的に拡大した水平断面図である。このうち、（ａ）は斜め方向からの取付け状態を示す図、（ｂ）は面直方向からの取付け状態を示す図である。
【図７】位置決め片を（妻側の）壁パネルに固定した状態を示す、部分的に拡大した水平断面図である。このうち、（ａ）はトリプルスタッドの場合の取付け状態を示す図、（ｂ）はダブルスタッドの場合の取付け状態を示す図である。
【図８】位置決め片の上部に上側から天井パネルを載置する状態を示す、図４と同様の建物ユニットの斜視図である。
【図９】天井パネルを位置決め片の上部に位置決めして壁パネルに固定する状態を示す、図８と同様の建物ユニットの斜視図である。
【図１０】天井パネルを壁パネルに固定した状態を示す、部分的に拡大した縦断面図である。
【図１１】位置決め片を撤去する状態を示す、図９と同様の建物ユニットの斜視図である。
【図１２】固定具の着脱によって天井パネルの高さ調整を行う様子を示す、部分的に拡大した縦断面図である。このうち、（ａ）は位置調整前、（ｂ）は位置調整後である。
【図１３】天井パネルの高さ調の様子を示す側面図である。このうち、（ａ）は位置調整前、（ｂ）は位置調整後である。
【図１４】天井パネルの縁部の、建物ユニットの開放面側の端部に対する取付け位置を示す、部分的に拡大した斜視図である。
【図１５】天井パネルの縁部の、建物ユニットの開放面側の端部に対するこれまでの取付け位置を示す、部分的に拡大した斜視図である。
【図１６】図１５のように天井パネルを取付けた場合の、隣接する天井パネルの縁部間の状態（段差ありの場合）を示す、部分的に拡大した斜視図である。
【図１７】スペーサを取付ける状態を示す、図５と同様の建物ユニットの側面図である。
【図１８】スペーサを取付ける状態を示す、部分的に拡大した縦断面図である。
【図１９】壁パネルに対する天井パネルの平面的な位置合わせの手順を示す、平面視コの字状の建物ユニットの平面図である。
【図２０】壁パネルに対する天井パネルの平面的な位置合わせの手順を示す、平面視ニの字状の建物ユニットの平面図である。
【図２１】方杖などと呼ばれる仮止め用金具を用いて天井パネルを仮固定した建物ユニットを示す図である。このうち、（ａ）は斜視図、（ｂ）は仮止め用金具周辺の部分拡大側面図である。
【発明を実施するための形態】
【００１２】
以下、本実施の形態を、図面を用いて詳細に説明する。
図１〜図２１は、この実施の形態を説明するためのものである。
【実施例１】
【００１３】
＜構成＞以下、構成について説明する。
【００１４】
ユニット工法は、製造工場で予め製造された建物ユニットを、建築現場へ搬送して建築現場で組み合わせることによって、短期間のうちに建物（ユニット建物）を構築できるようにするものである。
【００１５】
このようなユニット工法では、図１に示すような木質系の建物ユニット１（木質系ユニット）が用いられている。この建物ユニット１は、床パネル２の辺部から立設された壁パネル４，５の上部に天井パネル６を取付けた直方体状のものとされている。
【００１６】
ここで、床パネル２は、矩形状に組まれた床枠材の少なくとも上面に対して床面材を貼り付けたほぼ長方形状のものなどとされている。また、壁パネル４，５は、矩形状に組まれた壁枠材の両面に対して壁面材を貼り付けたほぼ長方形状のものなどとされている。壁パネル４，５は、桁側（長尺側の壁パネル４）と妻側（短尺側の壁パネル５）とで、大きさが異なっている。そして、天井パネル６は、矩形状に組まれた天井枠材の少なくとも下面に対して天井面材を貼り付けたほぼ長方形状のものなどとされている。床パネル２や壁パネル４，５や天井パネル６には、必要に応じて断熱材などを取付けることができる。床パネル２や壁パネル４，５や天井パネル６の詳細については、必要に応じて説明する。
【００１７】
そして、以上のような基本的な構成に対し、この実施例では、建物ユニット１に対する天井パネル６の取付け方法（天井パネル取付け方法）を、以下のようにする。
【００１８】
（１）床パネル２の辺部から立設された壁パネル４，５の上部に、天井パネル６を取付けることで、建物ユニット１を製造する際に、図２に示すように、天井パネル６の取付け位置に応じた長さを有する位置決め治具１１を、壁パネル４，５の内面に沿い、床パネル２の位置から上方へ向けて当接配置し、図３に示すように、位置決め治具１１の上端部に天井パネル６の取付け位置の基準となる位置決め片１２を載置すると共に、図４（〜図７）に示すように、位置決め片１２を壁パネル４，５に固定する位置決め片取付け工程を行う。
次に、図８、図９に示すように、位置決め片１２の上部に上側から天井パネル６を載置して、天井パネル６を壁パネル４，５に対する所定の取付け位置に仮保持させると共に位置決めする天井パネル位置決め工程を行う。
そして、図１０に示すように、位置決め片１２の上部に仮保持および位置決めされた天井パネル６を、壁パネル４，５の上部に固定（本固定）する天井パネル固定工程を行う。
更に、図１１に示すように、天井パネル６の壁パネル４，５に対する固定後に、位置決め片１２を壁パネル４，５から撤去する位置決め片撤去工程を行う。即ち、製造工場にて、位置決め片取付け工程→天井パネル位置決め工程→天井パネル固定工程→位置決め片撤去工程を、順に行って、天井パネル６を本固定させるようにする。
【００１９】
ここで、天井パネル６の取付け位置は、図１１に示すように、位置決め片１２を取付ける建物ユニット１における壁パネル４，５の内面側の上縁部近傍などとする。天井パネル６の上面は、壁パネル４，５の上縁部と同じか、それよりも低い位置とする。この実施例では、天井パネル６の取付けを、壁パネル４，５に対する本固定まで行うようにしているが、これまでの場合、図２１に示すように、天井パネル６を、例えば、方杖などと呼ばれる側面視ほぼ直角三角形状の仮止め用金具１０１を用いて、壁パネル４，５の上縁部周辺に仮固定した状態で建物ユニット１を製造していた。そのため、天井パネル６は、天井パネル６が仮固定された建物ユニット１の上側に設置される建物ユニット１Ａ（図１０参照）の下縁部の位置に取付けるようなことも構造的には可能であった。しかし、本実施例では、天井パネル６は、必ず、位置決め片１２を取付ける建物ユニット１の上縁部近傍に取付けるようにする。
【００２０】
なお、図１０には、壁パネル４の内部構造が示されている。壁パネル４は、縦枠材４ａと横枠材４ｂとで構成された壁枠材の内面に対して面材４ｃを取付けたものとなっている。壁パネル５についても、壁パネル４と同様に、縦枠材５ａと横枠材５ｂとで構成された壁枠材の内面に面材５ｃを取付けたものとなっている。また、天井パネル６の内部構造も示されている。天井パネル６は、端部枠材６ａ（端野縁）と側部枠材６ｂ（側野縁）とで構成された天井枠材の下面に面材６ｃを取付けたものとなっている。但し、壁パネル４，５および天井パネル６構造は、上記に限るものではない。
【００２１】
そして、図９に示すように、上記した位置決め治具１１は、床パネル２の上面から天井パネル６の取付け位置までの長さよりも、位置決め片１２の長さの分だけ短くした棒状のものとされる。位置決め治具１１には、上下方向に延びる角材やランバ材などを用いることができる。位置決め片１２は、ほぼ１０ｃｍ四方の大きさの位置決め木桟などとすることができる。但し、位置決め片１２の大きさや材質は、上記に限るものではない。位置決め片１２は、建物ユニット１の四カ所のコーナー部の位置などに取付けるのが好ましい。
【００２２】
天井パネル６を位置決めする際に、必要な場合には、図８に示すように、建物ユニット１に対して、天井パネル６の辺部の中間部の位置などを支持する支持部材１４などを用いるようにしても良い。
【００２３】
また、天井パネル６を位置決めする際に、天井パネル６を壁パネル４，５の上縁部に係止保持させるための位置決め金具１５を、天井パネル６に予め取付けておいても良い。この位置決め金具１５は、例えば、天井パネル６の上面に対する取付け部と、壁パネル４，５の上縁部に対して係止可能な係止部と、取付け部および係止部の間を連結する連結部とを有するものとすることができる。連結部は、取付け部と係止部との上下方向の高さレベルの違いに応じた段差量を有する段差部などとすることができる。これにより、位置決め金具１５は、側面視ほぼＺ字状または段差形状のものなどとなる。支持部材１４や位置決め金具１５は、使用後に取り外すことができる。
【００２４】
（２）図６、図７に示すように、位置決め片１２は、壁パネル４，５に対し、着脱可能な固定具２１を用いて固定するようにしても良い。
【００２５】
ここで、図６は、位置決め片１２を（桁側の）壁パネル４に固定した状態を示しており、図７は、位置決め片１２を（妻側の）壁パネル５に固定した状態を示している。固定具２１は、位置決め片１２を、壁パネル４，５（の上部）に対して当接させた状態で直接固定するものとされる。着脱可能な固定具２１は、例えば、木ネジなどとすることができる。着脱可能な固定具２１を用いることにより、位置決め片１２の着脱が可能となる。よって、図１１に示すように、使用後に、位置決め片１２を撤去することも可能になる。
【００２６】
固定具２１は、壁パネル４，５（この場合には、壁パネル４）の上部に位置する壁枠材（縦枠材４ａの上部）に対して、図６（ａ）に示すように、斜め方向からねじ込んだり、図６（ｂ）に示すように、面直方向からねじ込んだりすることができる。図６（ａ）のように、固定具２１を斜め方向からねじ込むことで、直交する壁パネル４，５（この場合には、壁パネル５）に対して離れた位置から作業を行うことができるので（距離２５）、固定具２１のねじ込み作業が容易となる。これに対し、図６（ｂ）のように、固定具２１を面直方向からねじ込む場合には、直交する壁パネル４，５（この場合には、壁パネル５）に近い位置での作業となるが（距離２６＜距離２５）、その分、縦枠材４ａに対して深くまで固定具２１を確実にねじ込むことが可能となる。なお、図６（ａ）のように斜め方向からねじ込む場合には、図６（ｂ）のように、面直方向からねじ込む場合よりも、長い固定具２１を使用する必要がある。また、図６（ｂ）の場合、面材５ｃから固定具２１までの距離２６は、概ね１２ｍｍ程度にする。また、図６（ａ）の場合、面材５ｃから固定具２１までの距離２５は、１２ｍｍ以上にする。
【００２７】
また、図７（ａ）（ｂ）の場合、壁パネル４，５（この場合には、壁パネル５）の縦枠材５ａの構成に応じて、固定具２１の取付け位置や使用本数を変えるようにしている。即ち、図７（ａ）のように、壁パネル４，５の縦枠材５ａがトリプルスタッド構成とされている場合には、外側の２本のスタッド材に対して、それぞれ固定具２１を取付けるようにしている。また、図７（ｂ）のように、縦枠材５ａがダブルスタッド構成とされている場合には、外側の１本のスタッド材に対して、それぞれ固定具２１を取付けるようにしている。但し、固定具２１の取付け位置や使用本数は、上記に限るものではない。
【００２８】
（３）図１２に示すように、天井パネル６は、壁パネル４，５に対し、着脱可能な固定具３１を用いて固定するようにしても良い。
【００２９】
ここで、固定具３１は、天井パネル６を、壁パネル４，５に対して直接固定するためのものとされる。着脱可能な固定具３１は、例えば、木ネジなどとすることができる。着脱可能な固定具３１は、壁パネル４，５の上部に位置する壁枠材（縦枠材４ａ，５ａなど）に対して、ほぼ面直に（この場合にはほぼ水平方向）ねじ込むようにする。このように、着脱可能な固定具３１を用いることにより、天井パネル６の部分的または全体的な着脱が可能且つ容易となる。よって、建築現場において必要な場合に、天井パネル６の高さ調整（微調整）などを行うことも可能となる。例えば、図１３に示すように、隣接する天井パネル６間の段差調整は、最大６ｍｍ程度の調整代３５の範囲内で行われる。
【００３０】
（４）図１４に示すように、建物ユニット１に、壁パネル４を設けない開放面４１が存在する場合に、天井パネル６を、建物ユニット１の開放面４１側の端部４２に達する大きさにしても良い。そして、天井パネル６の縁部４３を、建物ユニット１の開放面４１側の端部４２の位置に合わせて取付けるようにしても良い。
【００３１】
ここで、建物ユニット１は、四面の壁パネル４，５を有する閉鎖型のものが、基本となるが、一面または二面を開放して開放型のものとすることができる。この場合には、桁側の一面が開放された例となっている。建物ユニット１の開放面４１側の端部４２は、開放面４１の両側に位置する壁パネル５の（開放面４１側）の端縁部となる。なお、これまでは、図１５に示すように、天井パネル６の縁部４３ａは、建物ユニット１の開放面４１側の端部４２の位置よりも、引っ込めて取付ける構造にしていた（引込量４５）。引込量４５は、例えば、１４ｍｍ程度であった。そのため、図１６に示すように、開放面４１を有する建物ユニット１を並べて設置した時に、隣接する天井パネル６間の間隔は２８ｍｍ程度以上もの広い間隔を有して離されていた。よって、隣接する天井パネル６間の段差調整なども難しくなっていた。
【００３２】
（５）更に、図１７、図１８に示すように、天井パネル６と壁パネル４，５との間に隙間５１が生じた場合には、隙間５１にスペーサ５２を介在させるようにしても良い。
【００３３】
ここで、例えば、図１９に示すような、桁側の壁パネル４の一方がない平面視コの字状をした開放型の建物ユニット１の場合、天井パネル６は、
（手順Ａ）先ず、桁側の壁パネル４に合わせ、
（手順Ｂ）次に、妻側の壁パネル５のうちの一方（外妻壁５０１）に合わせ、
（手順Ｃ）最後に、妻側の壁パネル５のうちの他方（内妻壁５０２）に合わせるという順番で、水平方向に対する位置合わせを行うようにするのが好ましいとされている。よって、隙間５１は、主に、内妻壁５０２の側に生じることになるので、内妻壁５０２と天井パネル６との隙間５１の、少なくとも固定具３１を取付ける部分に対してスペーサ５２を介在させるようにする。
【００３４】
また、例えば、図２０に示すような、桁側の壁パネル４の両方がない平面視ニの字状をした開放型の建物ユニット１の場合、天井パネル６は、
（手順Ａ）先ず、その縁部４３を、建物ユニット１の一方の開放面４１側の端部４２の位置に合わせ、
（手順Ｂ）次に、妻側の壁パネル５のうちの一方（外妻壁５０１）に合わせ、
（手順Ｃ）最後に、妻側の壁パネル５のうちの他方（内妻壁５０２）に合わせるという順番で、水平方向に対する位置合わせを行うようにするのが好ましいとされている。よって、隙間５１は、主に、内妻壁５０２の側に生じることになるので、内妻壁５０２と天井パネル６との隙間５１の、少なくとも固定具３１を取付ける部分に対してスペーサ５２を介在させるようにする。
【００３５】
なお、スペーサ５２は、例えば、３ｍｍ以上の隙間５１が生じた場合に設置すれば良い。
【００３６】
＜作用効果＞以下、この実施例の作用効果について説明する。
【００３７】
ユニット工法では、製造工場で予め建物ユニット１を製造し、製造された建物ユニット１を建築現場へ搬送して、建築現場で建物ユニット１を組み合わせることで、短期間のうちに建物（ユニット建物）を構築することができる。
【００３８】
ユニット工法で使用される建物ユニット１は、製造工場で、床パネル２の辺部から立設された壁パネル４，５の上部に、天井パネル６を取付けることで製造される。
【００３９】
（作用効果１）この際、天井パネル６の取付け位置に応じた長さを有する位置決め治具１１の上端部に載置した位置決め片１２を壁パネル４，５に固定するようにした。これにより、位置決め片１２を容易且つ正確に壁パネル４，５に取付けることができる。
【００４０】
そして、壁パネル４，５に固定した位置決め片１２の上部に天井パネル６を載置するようにした。これにより、天井パネル６を所定の取付け位置に仮保持させると共に、天井パネル６を容易且つ正確に位置決めすることができる。
【００４１】
そのため、位置決め片１２の上部に仮保持および位置決めされた天井パネル６を押さえておく必要がなくなるので、壁パネル４，５の上部に対し、高さ方向および水平方向に対して容易且つ精度良く固定することができる。例えば、床パネル２の位置から２．４ｍ〜３ｍ程度の高さを有する天井パネル６を、±２ｍｍの精度で取付けることが可能となる。よって、建物ユニット１の品質を向上することができる。
【００４２】
更に、天井パネル６の壁パネル４，５に対する固定後に、位置決め片１２を壁パネル４，５から撤去するようにした。これにより、位置決め片１２の痕跡を残さずに天井パネル６を取付けることができる。
【００４３】
そして、上記により、製造工場において、天井パネル６の本固定までを行うことができるようになるので、製造工場での作業工程を合理化することが可能となる。
【００４４】
そして、これまでのように、建築現場にて天井パネル６の本固定を行う場合には、建築現場へ建物ユニット１を搬入するまでの間、天井パネル６を仮固定させておくのに、方杖などと呼ばれる仮止め用金具１０１（図２１参照）を用いていたが、製造工場で天井パネル６の本固定を行うことで、上記したような方杖などの仮止め用金具１０１（図２１参照）を用いる必要をなくして、部品コストを削減することができる。
【００４５】
また、建物ユニット１の製造工場で、天井パネル６の本固定までを行うことで、建築現場での、建物ユニット１の棟上げや、天井パネル６を本固定して方杖などの仮止め用金具１０１を取り外すなどの際の、大工工数の削減を図ることができる。
【００４６】
更に、建物ユニット１の製造工場で、天井パネル６の本固定までを行うようにしているので、例えば、これまで、建築現場で建物ユニット１の上に屋根を据え付けた後で行っていた電気配線作業なども、建築現場での屋根据え付け前に行うことができるようになり、電気工事の手待ちなどをなくすことができる。また、これまで建築現場にて天井パネル６の本固定の後に行っていた各種の作業についても、その少なくとも一部を、製造工場での天井パネル６の本固定の後に、製造工場で行うことができるようになり、その分、建築現場での作業を減らして、より効率的に建物を構築することが可能となる。
【００４７】
加えて、建物ユニット１の製造工場で、天井パネル６の本固定までを行うので、建築現場での天井作業を、確実に本固定されている天井パネル６の上で行うことができるようになり、その分、天井作業の安全性を高めることができる。
【００４８】
（作用効果２）上記に加えて、位置決め片１２を、着脱可能な固定具２１を用いて壁パネル４，５に固定するようにしても良い。これにより、天井パネル６を壁パネル４，５に固定した後に、着脱可能な固定具２１を外すことによって、簡単に壁パネル４，５から位置決め片１２を撤去することができる。
【００４９】
（作用効果３）上記に加えて、天井パネル６を、着脱可能な固定具３１を用いて壁パネル４，５に固定するようにしても良い。これにより、建築現場で、建物ユニット１を隣接して設置した際に、隣接する建物ユニット１の天井パネル６間に段差が生じたような場合であっても、着脱可能な固定具３１の一部を外すことで、壁パネル４，５に対する天井パネル６の固定状態を部分的に解除することができるので、天井パネル６を適正な位置に取付け直すことで、上記した段差がなくなるように各天井パネル６の高さ調整を簡単に行うことが可能となる。
【００５０】
（作用効果４）上記に加えて、天井パネル６の縁部４３を、建物ユニット１の開放面４１側の端部４２の位置に合わせて取付ける構造にしても良い。これにより、図１５、図１６に示すように、天井パネル６の縁部４３を、建物ユニット１の開放面４１側の端部４２から引っ込めて取付けなくて済むので、天井パネル６の取付け構造が容易化されると共に、（天井パネル６の縁部４３の引っ込め量を正確に出すための）面倒な寸法出しの手間がなくなり、天井パネル６の縁部４３の位置合わせが容易化されるので、その分、作業工数や作業時間を減らすことができる。
【００５１】
また、天井パネル６の縁部４３を建物ユニット１の開放面４１側の端部４２の位置に合わせて取付けることで、建物ユニット１の開放面４１の両側に位置する壁パネル５の縦枠材５ａなどを有効に利用して、位置決め片１２や天井パネル６の縁部４３周辺を取付けることができる。よって、位置決め片１２や天井パネル６の縁部４３周辺を、開放面４１の両側の壁パネル５の縦枠材５ａに対してしっかりと固定することができるので、構造的に有利である。また、背面側に縦枠材５ａが確実に存在することで、取付けの際の位置決め片１２や天井パネル６の縁部４３周辺の割れなども防止することができるので、構造的に有利である。
【００５２】
これに対し、天井パネル６の縁部４３を建物ユニット１の開放面４１側の端部４２に対して引っ込めた状態で取付ける場合には、壁パネル５の縦枠材５ａのない位置などに対して位置決め片１２や天井パネル６の縁部４３周辺が取付けられてしまうおそれが高い。そのため、取付け強度を確保し難く、割れなども防止し難くなるので、構造的に不利である。
【００５３】
更に、上記により、建築現場で、開放面４１を有する建物ユニット１どうしを隣接して配置した場合に、隣接する建物ユニット１の天井パネル６の縁部４３どうしが近接され、ほぼ突き合わされた状態になるので、天井パネル６の縁部４３どうしが離れている場合と比べて、隣接する天井パネル６間の段差調整を容易に行うことができる。
【００５４】
（作用効果５）上記に加えて、天井パネル６と壁パネル４，５との間の隙間５１にスペーサ５２を介在させるようにしても良い。これにより、天井パネル６と壁パネル４，５との間の隙間５１をスペーサ５２で埋めると共に、スペーサ５２の介在によって天井パネル６と壁パネル４，５との取付け状態を強固にして天井パネル６の上下方向や水平方向に対するガタ付きを防止することができる。
【００５５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５６】
１    建物ユニット
２    床パネル
４    壁パネル
５    壁パネル
６    天井パネル
１１  位置決め治具
１２  位置決め片
２１  固定具
３１  固定具
４１  開放面
４２  端部
４３  縁部
５１  隙間
５２  スペーサ
【図１】
2018031181.tif 000003
【図２】
2018031181.tif 000004
【図３】
2018031181.tif 000005
【図４】
2018031181.tif 000006
【図５】
2018031181.tif 000007
【図６】
2018031181.tif 000008
【図７】
2018031181.tif 000009
【図８】
2018031181.tif 000010
【図９】
2018031181.tif 000011
【図１０】
2018031181.tif 000012
【図１１】
2018031181.tif 000013
【図１２】
2018031181.tif 000014
【図１３】
2018031181.tif 000015
【図１４】
2018031181.tif 000016
【図１５】
2018031181.tif 000017
【図１６】
2018031181.tif 000018
【図１７】
2018031181.tif 000019
【図１８】
2018031181.tif 000020
【図１９】
2018031181.tif 000021
【図２０】
2018031181.tif 000022
【図２１】
2018031181.tif 000023